(57)【特許請求の範囲】
【請求項１】
超音波プローブの制御や超音波画像の作成を行う超音波診断装置本体と、前記超音波画像を表示する画像表示器と、前記超音波診断装置本体の上面と前記画像表示器との間に設けられており前記画像表示器を前記超音波診断装置本体に支持する画像表示器支持機構とを具備してなる超音波診断装置であって、
前記画像表示器支持機構は、
前記超音波診断装置本体に支持された第１端側を支点にして第２端側を上下方向に揺動可能なアーム部と、
前記アーム部の第２端側に支持された一端側を支点にして他端側を上下方向に回動可能であり且つ前記他端側に前記画像表示器を支持するネック部と、
前記アーム部を前記超音波診断装置が置かれた床面と平行に配置し且つ前記画像表示器の表示面を前記床面と平行な面に向けて下向きに傾けたときに、前記表示面が所定の位置を超えて傾かないように前記表示面のチルト角の変更範囲を制限するチルト角制限手段とを有することを特徴とする超音波診断装置。
【請求項２】
請求項１に記載の超音波診断装置において、
前記チルト角制限手段は、前記アーム部を前記超音波診断装置が置かれた床面と平行に配置し且つ前記画像表示器の表示面を前記床面と平行な面に向けて下向きに傾けたときに、前記表示面が前記床面と平行になる位置を超えて傾かないように前記表示面のチルト角の変更範囲を制限することを特徴とする超音波診断装置。
【請求項３】
請求項１又は請求項２に記載の超音波診断装置において、
前記ネック部は、前記他端側に支持した前記画像表示器を左右方向に回動可能であることを特徴とする超音波診断装置。
【請求項４】
請求項１から請求項３のいずれかに記載の超音波診断装置において、
前記画像表示器支持機構は、前記画像表示器の垂直位置を変更しても前記画像表示器の表示面のチルト角を一定に維持することを特徴とする超音波診断装置。
【請求項５】
請求項１から請求項４のいずれかに記載の超音波診断装置において、
前記画像表示器は、フラットパネル型画像表示器であることを特徴とする超音波診断装置。
【請求項６】
請求項５に記載の超音波診断装置において、
前記フラットパネル型画像表示器は、液晶表示器であることを特徴とする超音波診断装置。
【発明の詳細な説明】
【技術分野】
【０００１】
本発明は、超音波診断装置に関し、さらに詳しくは、超音波画像の表示画面を見やすい位置に動かすことが可能な超音波診断装置に関する。
【背景技術】
【０００２】
超音波診断装置本体に液晶表示器をヒンジで取り付けた超音波診断装置が知られている（例えば、特許文献１参照。）。
【先行技術文献】
【特許文献】
【０００３】
【特許文献１】特開２００２−２７２７３９号公報
【発明の概要】
【発明が解決しようとする課題】
【０００４】
上記従来の超音波診断装置では、使用する時には液晶表示器を立てて超音波画像を表示し、使用しない時には液晶表示器を倒して搬送し易くすることが出来る。
しかし、液晶表示器の位置を水平方向や垂直方向に移動して、表示画面を見やすい位置に動かすことが出来ない問題点がある。
そこで、本発明の目的は、超音波画像の表示画面を見やすい位置に動かすことが可能な超音波診断装置を提供することにある。
【課題を解決するための手段】
【０００５】
第１の観点では、本発明は、超音波プローブの制御や超音波画像の作成を行う超音波診断装置本体と、前記超音波画像を表示する画像表示器と、前記画像表示器を前記超音波診断装置本体に支持する画像表示器支持機構とを具備してなる超音波診断装置であって、前記画像表示器支持機構は、前記画像表示器を水平移動・垂直移動可能に且つ前記画像表示器の表示面のチルト角を変更可能に支持すると共に前記表示面が下向きになるように前記画像表示器を倒した状態で支持可能であり、前記表示面が下向きになるように前記画像表示器を倒した状態で前記表示面のチルト角をロックするためのチルトロック手段と、前記画像表示器の水平位置および垂直位置に応じて水平移動可能範囲および垂直移動可能範囲を制限する移動範囲制限手段とを有することを特徴とする超音波診断装置を提供する。
上記第１の観点による超音波診断装置では、画像表示器支持機構を介して、水平移動・垂直移動可能に且つ画像表示器の表示面のチルト角を変更可能に、画像表示器を超音波診断装置本体に支持するから、超音波画像の表示画面を見やすい位置・姿勢に動かすことが可能になる。また、使用しない時には画像表示器を倒した状態にすると共にその状態で表示面のチルト角をロックすることが出来るから、搬送し易くすることが出来る。さらに、画像表示器の水平位置および垂直位置に応じて水平移動可能範囲および垂直移動可能範囲を制限するから、超音波診断装置本体と画像表示器の干渉を回避することが出来る。
【０００６】
第２の観点では、本発明は、超音波プローブの制御や超音波画像の作成を行う超音波診断装置本体と、前記超音波画像を表示する画像表示器と、前記画像表示器を前記超音波診断装置本体に支持する画像表示器支持機構とを具備してなる超音波診断装置であって、前記画像表示器支持機構は、前記画像表示器を水平移動・垂直移動可能に且つ前記画像表示器の表示面のチルト角を変更可能に支持すると共に前記表示面が下向きになるように前記画像表示器を倒した状態で支持可能であることを特徴とする超音波診断装置を提供する。
上記第２の観点による超音波診断装置では、画像表示器支持機構を介して、水平移動・垂直移動可能に且つ画像表示器の表示面のチルト角を変更可能に、画像表示器を超音波診断装置本体に支持するから、超音波画像の表示画面を見やすい位置・姿勢に動かすことが可能になる。また、使用しない時には画像表示器を倒した状態にすることが出来るから、搬送し易くすることが出来る。
【０００７】
第３の観点では、本発明は、前記第１または前記第２の観点による超音波診断装置において、前記表示面が下向きになるように前記画像表示器を倒した状態で前記表示面のチルト角をロックするためのチルトロック手段を有することを特徴とする超音波診断装置を提供する。
上記第３の観点による超音波診断装置では、使用しない時には画像表示器を倒した状態で表示面のチルト角をロックすることが出来るから、搬送し易くすることが出来る。
【０００８】
第４の観点では、本発明は、前記第１から前記第３のいずれかの観点による超音波診断装置において、前記画像表示器支持機構は、前記チルトロック手段によるチルト角のロックが行われたときに前記画像表示器の水平位置をロックする水平移動ロック手段を有することを特徴とする超音波診断装置を提供する。
上記第４の観点による超音波診断装置では、画像表示器を倒した状態で表示面のチルト角をロックしたときには、画像表示器の水平移動もロックすることが出来るから、搬送し易くすることが出来る。
【０００９】
第５の観点では、本発明は、前記第４の観点による超音波診断装置において、前記水平移動ロック手段は、前記チルトロック手段によるチルト角のロックが解除されて前記表示面が正面向きになるように前記画像表示器を立てた状態にすると、前記画像表示器を水平位置可能に戻すことを特徴とする超音波診断装置を提供する。
上記第５の観点による超音波診断装置では、使用する時に液晶表示器を立てた状態にすると、連動して画像表示器の水平移動のロックが解除されるから、見やすい位置に画像表示器を水平移動することが出来る。
【００１０】
第６の観点では、本発明は、前記第１から前記第５のいずれかの観点による超音波診断装置において、前記チルトロック手段によるチルト角のロックは、前記画像表示器が特定の水平位置にある状態でのみ可能であることを特徴とする超音波診断装置を提供する。
上記第６の観点による超音波診断装置では、搬送し易い特定の水平位置に画像表示器があるときにチルト角をロック可能になる。
【００１１】
第７の観点では、本発明は、前記第１から前記第６のいずれかの観点による超音波診断装置において、前記画像表示器支持機構は、前記超音波診断装置本体に対して水平方向に旋回可能な旋回部と、前記旋回部に支持された第１端側を支点にして第２端側を上下方向に揺動可能なアーム部と、前記アーム部の第２端側に支持された一端側を支点にして他端側を上下方向に回動可能であり且つ前記他端側に前記画像表示器を支持するネック部とを有することを特徴とする超音波診断装置を提供する。
上記第７の観点による超音波診断装置では、水平移動が旋回部で可能になり、垂直移動がアーム部で可能になり、表示面のチルト角の変更がネック部で可能になる。
【００１２】
第８の観点では、本発明は、前記第７の観点による超音波診断装置において、前記チルトロック手段は、前記ネック部の回動をロックする手段であることを特徴とする超音波診断装置を提供する。
上記第８の観点による超音波診断装置では、表示面のチルト角のロックがネック部で可能になる。
【００１３】
第９の観点では、本発明は、前記第７または前記第８の観点による超音波診断装置において、前記水平移動ロック手段は、前記旋回部の旋回をロックする手段であることを特徴とする超音波診断装置を提供する。
上記第９の観点による超音波診断装置では、画像表示器の水平移動のロックが旋回部で可能になる。
【００１４】
第１０の観点では、本発明は、超音波プローブの制御や超音波画像の作成を行う超音波診断装置本体と、前記超音波画像を表示する画像表示器と、前記画像表示器を前記超音波診断装置本体に支持する画像表示器支持機構とを具備してなる超音波診断装置であって、前記画像表示器支持機構は、前記画像表示器を水平移動・垂直移動可能に支持すると共に、前記画像表示器の水平位置および垂直位置に応じて水平移動可能範囲及び垂直移動可能範囲を制限する移動範囲制限手段を有することを特徴とする超音波診断装置を提供する。
上記第１０の観点による超音波診断装置では、画像表示器支持機構を介して、水平移動・垂直移動可能に、画像表示器を超音波診断装置本体に支持するから、超音波画像の表示画面を見やすい位置・姿勢に動かすことが可能になる。また、画像表示器の水平位置および垂直位置に応じて水平移動可能範囲および垂直移動可能範囲を制限するから、超音波診断装置本体と画像表示器の干渉を回避することが出来る。
【００１５】
第１１の観点では、本発明は、前記第１または前記第１０の観点による超音波診断装置において、前記移動範囲制限手段は、前記画像表示器の最下点が前記超音波診断装置本体の最上点より上側にあって且つ前記画像表示器の最右点が前記超音波診断装置本体の最左点と最右点の間にある位置では前記画像表示器の最下点が前記超音波診断装置本体の最上点より下がらないように垂直移動可能範囲を制限し、前記画像表示器の最下点が前記超音波診断装置本体の最上点より上側にあって且つ前記画像表示器の最左点が前記超音波診断装置本体の最左点と最右点の間にある位置では前記画像表示器の最下点が前記超音波診断装置本体の最上点より下がらないように垂直移動可能範囲を制限し、前記画像表示器の最右点が前記超音波診断装置本体の最左点より左側にあって且つ前記画像表示器の最下点が前記超音波診断装置本体の最上点より下がった垂直位置では前記画像表示器の最右点が前記超音波診断装置本体の最左点より右にならないように水平移動可能範囲を制限し、前記画像表示器の最左点が前記超音波診断装置本体の最右点より右側にあって且つ前記画像表示器の最下点が前記超音波診断装置本体の最上点より下がった垂直位置では前記画像表示器の最左点が前記超音波診断装置本体の最右点より左にならないように水平移動可能範囲を制限することを特徴とする超音波診断装置を提供する。
上記第１１の観点による超音波診断装置では、超音波診断装置本体と画像表示器の干渉を回避するように、画像表示器の水平位置および垂直位置に応じて水平移動可能範囲および垂直移動可能範囲を制限することが出来る。
【００１６】
第１２の観点では、本発明は、前記第１０または前記第１１の観点による超音波診断装置において、前記画像表示器支持機構は、前記超音波診断装置本体に対して水平方向に旋回可能な旋回部と、第１端側を前記旋回部に支持され第２端側に前記画像表示器を支持し前記第１端側を支点にして前記第２端側を上下方向に揺動可能であり且つ前記第２端側に前記画像表示器を支持するアーム部とを有することを特徴とする超音波診断装置を提供する。
上記第１２の観点による超音波診断装置では、水平移動が旋回部で可能になり、垂直移動がアーム部で可能になる。
【００１７】
第１３の観点では、本発明は、前記第１２の観点による超音波診断装置において、前記アーム部の第２端側に支持された一端側を支点にして他端側を上下方向に回動可能であり且つ前記他端側に前記画像表示器を支持するネック部とを有することを特徴とする超音波診断装置を提供する。
上記第１３の観点による超音波診断装置では、表示面のチルト角の変更がネック部で可能になる。
【００１８】
第１４の観点では、本発明は、前記第１２または前記第１３の観点による超音波診断装置において、前記移動範囲制限手段は、前記超音波診断装置本体に対して一定位置にあるガイド部材と、前記アーム部と連動して動くストッパ部材とを有してなり、前記ガイド部材の一部に前記ストッパ部材が当接することにより前記旋回部および前記アーム部の移動範囲が制限されることを特徴とする超音波診断装置を提供する。
上記第１４の観点による超音波診断装置では、ガイド部材の一部にストッパ部材が当接することにより、超音波診断装置本体と画像表示器の干渉を回避するように、画像表示器の水平位置および垂直位置に応じて水平移動可能範囲および垂直移動可能範囲を制限することが出来る。
【００１９】
第１５の観点では、本発明は、前記第１から前記第１４のいずれかの観点による超音波診断装置において、前記画像表示器支持機構は、前記画像表示器の垂直位置を変更しても前記画像表示器の表示面のチルト角を一定に維持することを特徴とする超音波診断装置を提供する。
上記第１５の観点による超音波診断装置では、画像表示器の垂直位置を変更するごとに画像表示器の表示面のチルト角を調整し直す必要がなくなる。
【００２０】
第１６の観点では、本発明は、前記第１から前記第１５のいずれかの観点による超音波診断装置において、前記画像表示器は、フラットパネル型画像表示器であることを特徴とする超音波診断装置を提供する。
上記第１６の観点による超音波診断装置では、画像表示器の薄型化が可能になる。
【００２１】
第１７の観点では、本発明は、前記第１６の観点による超音波診断装置において、前記フラットパネル型画像表示器は、液晶表示器であることを特徴とする超音波診断装置を提供する。
上記第１７の観点による超音波診断装置では、画像表示器の薄型化が可能になる。
【発明の効果】
【００２２】
本発明の超音波診断装置によれば、超音波診断装置の操作者の状態に応じて超音波画像の表示画面を見やすい位置に動かすことが可能になる。
【図面の簡単な説明】
【００２３】
【図１】実施例１に係る超音波診断装置の使用時状態を示す一部破断左側面図である。
【図２】図１における水平移動制限構成を示す要部上面図である。
【図３】実施例１に係る超音波診断装置の搬送時状態を示す一部破断左側面図である。
【図４】図３における水平移動制限構成を示す要部上面図である。
【図５】実施例１に係る超音波診断装置で画像表示器を上げた状態を示す一部破断左側面図である。
【図６】実施例１に係る超音波診断装置で画像表示器を下げた状態を示す一部破断左側面図である。
【図７】図６における垂直移動制限構成を示す要部正面図である。
【図８】実施例２に係る超音波診断装置の搬送時状態を示す一部破断左側面図である。
【図９】実施例３に係る超音波診断装置の搬送時状態を示す一部破断左側面図である。
【図１０】図９における垂直移動制限構成を示す要部正面図である。
【発明を実施するための形態】
【００２４】
以下、図に示す実施例により本発明をさらに詳しく説明する。なお、これにより本発明が限定されるものではない。
【実施例１】
【００２５】
図１は、実施例１に係る超音波診断装置１００を示す構成説明図である。なお、図は要部を誇張している。
この超音波診断装置１００は、超音波プローブの制御や超音波画像の作成を行う超音波診断装置本体１と、超音波画像を表示する画像表示器２と、画像表示器２を超音波診断装置本体１に支持する画像表示器支持機構１０とを具備してなる。
【００２６】
画像表示器支持機構１０は、超音波診断装置本体１に固設された固定部１１と、固定部１１に支持され固定部１１に対して水平回転可能な旋回部１２と、旋回部１２に軸支された第１端１３ａを支点にして第２端１３ｂを上下方向に揺動可能なアーム部材１３１，１３２と、アーム部材１３１，１３２の第２端１３ｂを連結して平行リンク機構を構成するリンク部材１３ｃと、リンク部材１３ｃに軸支された一端１４ａを支点にして他端１４ｂを鉛直面内で回動可能なネック部材１４と、ネック部材１４に軸支された一端を支点にしてネック部材１４の回動方向に直交する方向に他端を回動可能であり且つ他端に画像表示器２を支持するヒンジ部材１５とを有する。
【００２７】
従って、画像表示器２は、旋回部１２により水平方向の移動が可能であり、アーム部材１３１，１３２により上下方向の移動が可能であり、ネック部材１４により表示面のチルト角の変更が可能であり、ヒンジ部材１５により表示面の首振りが可能である。そして、アーム部材１３１，１３２が平行リンク機構になっているため、表示面のチルト角を変えないで画像表示器２を上下方向に移動することが出来る。
【００２８】
アーム部材１３２にはストッパ１６ａが設置されている。また、アーム部材１３１には、スプリング１６ｂで下向きに付勢されたロッド１６ｃが保持されている。また、ネック部材１４の一端１４ａ側はカム形状になっており、切欠１６ｄが設けてある。
【００２９】
図３に示すように、表示面が下向きになるように画像表示器２を倒すと、ネック部材１４にストッパ１６ａが当たる。また、ロッド１６ｃの下端が切欠１６ｄに入る。これにより、表示面が下向きになるように画像表示器２を倒した状態で表示面のチルト角がロックされる。
【００３０】
図１に戻り、旋回部１２にはレバー１７ａが軸支されている。レバー１７ａの上端は、旋回部１２に一端が固定されたスプリング１７ｂで引っ張られている。また、レバー１７ａの上端とネック部材１４の一端１４ａ側とがワイヤ１７ｃで連結されている。このため、レバー１７ａの角度は、画像表示器２のチルト角に応じて決まる。
他方、固定部１１には、レバー１７ａの下端の周囲を囲む囲繞空間１７ｄを形成する枠体１７ｅが設置されている。囲繞空間１７ｄの一部には切欠１７ｆが設けられている。
【００３１】
表示面が下向きになるように画像表示器２を倒していない状態では、図２に示すように、レバー１７ａの下端の周囲が囲繞空間１７ｄで囲まれるが、切欠１７ｆには入っていない。従って、旋回部１２は旋回可能である。
ところが、図４に示すように、レバー１７ａの下端が切欠１７ｆに入るような水平位置で表示面が下向きになるように画像表示器２を倒すと、レバー１７ａの下端が切欠１７ｆに入るため、旋回部１２は旋回不能になる。これにより、水平位置がロックされる。
【００３２】
図３のロック状態を解除するためには、スプリング１６ｂの付勢力に抗して操作者がロッド１６ｃを引き上げ、表示面が正面向きになるように画像表示器２を立てればよい。これにより、図１の状態に戻り、チルト角のロックが解除されると共に、それに連動して水平位置のロックも解除される。
【００３３】
なお、図４の水平位置以外では、表示面が下向きになるように画像表示器２を倒しても、レバー１７ａの下端が切欠１７ｆに入らないため、チルト角がロックされるまで画像表示器２を倒すことが出来ない。従って、水平位置もロックされない。
【００３４】
図１に戻り、アーム部材１３２の第１端１３ａには、棒状のストッパ部材１８ａが突設されている。他方、固定部１１には、ストッパ部材１８ａの上端の位置を規制する板状のガイド部材１８ｂが設置されている。
【００３５】
アーム部材１３１，１３２が正面方向を向いた水平位置では、図１や図３に示す高さよりもアーム部材１３１，１３２を下方向へ移動しようとしても、ストッパ部材１８ａとガイド部材１８ｂとが当接するため、下方向へ移動することが出来ない。これにより、超音波診断装置本体１と画像表示器２の干渉を防止することが出来る。
【００３６】
一方、図５に示すように、図１や図３に示す高さよりもアーム部材１３１，１３２を上方向へ移動する場合は、ストッパ部材１８ａとガイド部材１８ｂとが当接しないため、上方向へ移動することが出来る。これは、上方向へ移動しても超音波診断装置本体１と画像表示器２とが干渉することはないからである。
【００３７】
図１や図３に示す高さよりも画像表示器２が高い位置にある場合は、水平移動は制限されない。これは、水平移動しても超音波診断装置本体１と画像表示器２とが干渉することはないからである。
【００３８】
図６に示すように、画像表示器２の最右点が超音波診断装置本体１の最左点より左側に来るか又は画像表示器２の最左点が超音波診断装置本体１の最右点より右側に来る水平位置では、図１や図３に示す高さよりもガイド部材１８ｂの高さが高くなるため、図１や図３に示す高さよりもアーム部材１３１，１３２を下方向へ移動することが出来る。これは、下方向へ移動しても超音波診断装置本体１と画像表示器２とが干渉することはないからである。
【００３９】
図７は、ストッパ部材１８ａとガイド部材１８ｂの要部を示す正面図である。
ストッパ部材１８ａの上端がガイド部材１８ｂの下面１８Ｄに当たることで、画像表示器２の下方向への移動が制限される。
【００４０】
また、ストッパ部材１８ａの上端側面がガイド部材１８ｂの垂直面１８Ｌ，１８Ｒに当たることで、画像表示器２の水平方向への移動が制限される。
すなわち、画像表示器２の最右点が超音波診断装置本体１の最左点より左側にあり且つ画像表示器２の最下点が超音波診断装置本体１の最上点より下がった垂直位置では、画像表示器２の最右点が超音波診断装置本体１の最左点より右になるように画像表示器２を右へ水平移動しようとしても、ストッパ部材１８ａの上端側面とガイド部材１８ｂの右垂直面１８Ｒとが当接するため、右方向へ水平移動することが出来ない。また、画像表示器２の最左点が超音波診断装置本体１の最右点より右側にあり且つ画像表示器２の最下点が超音波診断装置本体１の最上点より下がった垂直位置では、画像表示器２の最左点が超音波診断装置本体１の最右点より左になるように画像表示器２を左へ水平移動しようとしても、ストッパ部材１８ａの上端側面とガイド部材１８ｂの左垂直面１８Ｌとが当接するため、左方向へ水平移動することが出来ない。これにより、超音波診断装置本体１と画像表示器２の干渉を防止することが出来る。
【００４１】
要するに、超音波診断装置本体１と画像表示器２の干渉を回避するためには、次のように画像表示器２の水平位置および垂直位置に応じて水平移動可能範囲および垂直移動可能範囲を制限すればよい。
（ａ）画像表示器２の最下点が超音波診断装置本体１の最上点より上側にあって且つ画像表示器２の最右点が超音波診断装置本体１の最左点と最右点の間にある位置では、画像表示器１の最下点が超音波診断装置本体１の最上点より下がらないように垂直移動可能範囲を制限する。
（ｂ）画像表示器２の最下点が超音波診断装置本体１の最上点より上側にあって且つ画像表示器２の最左点が超音波診断装置本体１の最左点と最右点の間にある位置では、画像表示器２の最下点が超音波診断装置本体１の最上点より下がらないように垂直移動可能範囲を制限する。
（ｃ）画像表示器２の最右点が超音波診断装置本体１の最左点より左側にあって且つ画像表示器２の最下点が超音波診断装置本体の最上点より下がった垂直位置では、画像表示器２の最右点が超音波診断装置本体１の最左点より右にならないように水平移動可能範囲を制限する。
（ｄ）画像表示器の最左点が超音波診断装置本体１の最右点より右側にあって且つ画像表示器２の最下点が超音波診断装置本体１の最上点より下がった垂直位置では、画像表示器２の最左点が超音波診断装置本体１の最右点より左にならないように水平移動可能範囲を制限する。
【００４２】
実施例１の超音波診断装置１００によれば、次の効果が得られる。
（１）画像表示器支持機構１０を介して、水平移動・垂直移動可能に且つ画像表示器２の表示面のチルト角を変更可能に、画像表示器２を超音波診断装置本体１に支持するから、超音波画像の表示画面を見やすい位置・姿勢に動かすことが可能になる。
（２）使用しない時には画像表示器２を倒した状態で表示面のチルト角をロックすると共に水平移動もロックすることが出来るから、搬送し易くすることが出来る。
（３）画像表示器２の水平位置および垂直位置に応じて水平移動可能範囲および垂直移動可能範囲を制限するから、超音波診断装置本体１と画像表示器２の干渉を回避することが出来る。
【実施例２】
【００４３】
図８は、実施例２に係る超音波診断装置２００を示す構成説明図である。なお、図は要部を誇張している。
この超音波診断装置２００は、実施例１に係る超音波診断装置１００のスプリング１６ｂ，ロッド１６ｃ，切欠１６ｄの代わりに、スプリング１６ｅ，レバー１６ｆ，ストッパ１６ｇおよび切欠２０を用いた構成である。
【００４４】
レバー１６ｆは、アーム部材１３１に軸支されており、スプリング１６ｅで図８の反時計方向に回るように付勢されている。ストッパ１６ｇは、垂直になる角度よりも反時計方向にレバー１６ｆが回ることを制限している。
切欠２０は、画像表示器２の下端面に設けてある。
【００４５】
図８に示すように、表示面が下向きになるように画像表示器２を倒すと、ネック部材１４にストッパ１６ａが当たる。また、レバー１６ｆの下端が切欠２０に入る。これにより、表示面が下向きになるように画像表示器２を倒した状態で表示面のチルト角がロックされる。
【００４６】
図８のロック状態を解除するためには、スプリング１６ｅの付勢力に抗して操作者がレバー１６ｆを手前に引いてから、表示面が正面向きになるように画像表示器２を立てればよい。
【実施例３】
【００４７】
図９は、実施例３に係る超音波診断装置３００を示す構成説明図である。なお、図は要部を誇張している。
この超音波診断装置３００は、実施例１に係る超音波診断装置１００のストッパ１８ａおよびガイド部材１８ｂの代わりに、板状のフック１８ｅおよびカム状部材１８ｆを用いた構成である。
【００４８】
図１０に示すように、フック１８ｅの上面１８Ｕがカム状部材１８ｆの下端に当たることで、画像表示器２の下方向への移動が制限される。また、フック１８ｅの垂直面１８Ｖとカム状部材１８ｆの右面１８Ｑが当たることで画像表示器２の左方向への移動が制限される。また、フック１８ｅの垂直面１８Ｈとカム状部材１８ｆの左面１８Ｐが当たることで画像表示器２の右方向への移動が制限される。
【産業上の利用可能性】
【００４９】
本発明の超音波診断装置は、超音波画像の撮像を行うのに利用できる。
【符号の説明】
【００５０】
１  超音波診断装置本体
２  画像表示器
１０  画像表示器支持機構
１００，２００，３００  超音波診断装置
【図１】
0005291170.tif 000002
【図２】
0005291170.tif 000003
【図３】
0005291170.tif 000004
【図４】
0005291170.tif 000005
【図５】
0005291170.tif 000006
【図６】
0005291170.tif 000007
【図７】
0005291170.tif 000008
【図８】
0005291170.tif 000009
【図９】
0005291170.tif 000010
【図１０】
0005291170.tif 000011